(57)【特許請求の範囲】
【請求項１】
基礎床面上に設置されるベースプレートと、
そのベースプレート上に取り付けられた支柱と、
その支柱の上端部に設けられ、フロアパネルを受けるためのパネル受け座と
を備えた支持脚において、
前記パネル受け座は、該パネル受け座の上面にフロアパネルのコーナ部の被係合部に凹凸の関係で係合する円環状の係合部を形成し、該パネル受け座の上面にフロアパネルのコーナ部の位置決め凹部に係合可能な位置決め突起を設け、該位置決め突起は、ゴム等の弾力性のある材質からなることを特徴とする支持脚。
【請求項２】
基礎床面上に設置されるベースプレートと、
そのベースプレート上に取り付けられた支柱と、
その支柱の上端部に設けられ、フロアパネルを受けるためのパネル受け座と
を備えた支持脚において、
前記パネル受け座は、該パネル受け座の上面にフロアパネルのコーナ部の被係合部に凹凸の関係で係合する円環状の係合部を形成し、該パネル受け座の上面にフロアパネルのコーナ部の位置決め凹部に係合可能な位置決め突起を設け、該位置決め突起は、先細のテーパ状にしたことを特徴とする支持脚。
【請求項３】
基礎床面上に設置されるベースプレートと、
そのベースプレート上に取り付けられた支柱と、
その支柱の上端部に設けられ、フロアパネルを受けるためのパネル受け座と
を備えた支持脚において、
前記パネル受け座は、該パネル受け座の上面にフロアパネルのコーナ部の被係合部に凹凸の関係で係合する円環状の係合部を形成し、該パネル受け座の上面にフロアパネルのコーナ部の位置決め凹部に係合可能な位置決め突起を設け、該パネル受け座の上面に振動吸収材を設けたことを特徴とする支持脚。
【請求項４】
前記パネル受け座は、中央に形成されたネジ孔にて支柱上のネジ軸に高さ調整可能に螺合されて、ネジ孔に上方から固定ネジを螺合することにより、所定高さの調整位置に固定されていることを特徴とする請求項１から３のいずれか一項に記載の支持脚。
【請求項５】
前記支柱は、交換可能であることを特徴とする請求項４に記載の支持脚。
【請求項６】
前記位置決め突起は、ほぼ円柱状をなし、前記係合部と同心状に設けたことを特徴とする請求項１から５のいずれか一項に記載の支持脚。
【請求項７】
請求項１から６のいずれか一項に記載の支持脚を基礎床面上に複数設置し、それらの支持脚のパネル受け座上に複数のフロアパネルのコーナ部を支持して、フロアパネルを基礎床面上に所定の上下間隔をおいて敷設するようにしたフロアパネル装置。
【請求項８】
前記フロアパネルは、該フロアパネルの４隅を面取りしたことを特徴とする請求項７に記載のフロアパネル装置。
【発明の詳細な説明】
【０００１】
【発明の属する技術分野】
この発明は、フロアパネルを敷設するためのフロアパネル装置、特に、建築物の基礎床面上に通信ケーブル等を配線するための所定の間隔をおいて、フロアパネルを敷設するようにしたフロアパネル装置及びそれに使用される支持脚に関するものである。
【０００２】
【従来の技術】
この種のフロアパネル装置としては、例えば特開２０００−１７９１２８号公報に開示されるような構成のものが知られている。この従来構成においては、基礎床面上に複数の支持脚が設置され、それらの支持脚のパネル受け座上に複数のフロアパネルのコーナ部を支持することにより、各フロアパネルが基礎床面上に所定間隔をおいて敷設されるようになっている。
【０００３】
すなわち、各支持脚は、基礎床面上に設置されるベースプレートと、そのベースプレート上に立設されたネジ軸とを備えている。そして、パネル受け座が中央のネジ孔にてネジ軸に高さ調整可能に螺合され、パネル受け座の下部においてネジ軸に螺合されたナット部材を締め付け回転させることにより、所定高さの調整位置に固定されるようになっている。また、各支持脚のパネル受け座の上面には、４つの四角ブロック状の仕切り突部が突設されている。そして、隣接する２つの仕切り突部間にフロアパネルのコーナ部を係合させることにより、各フロアパネルが敷設状態に位置決め保持されるようになっている。
【０００４】
【発明が解決しようとする課題】
前記のように、この従来のフロアパネル装置においては、パネル受け座の上面に突設された四角ブロック状の仕切り突部と、フロアパネルのコーナ部との係合により、フロアパネルの敷設状態での位置決めが行われるようになっている。このため、パネル受け座をネジ軸上で回転させて高さ調整したとき、四角ブロック状の仕切り突部がフロアパネルの敷設方向に沿って左右方向及び前後方向へ配列されるように、パネル受け座の回転位置を設定する必要がある。この回転位置がずれた場合には、前記仕切り突部とフロアパネルのコーナ部とが干渉して、フロアパネルの敷設が不可能になる。よって、パネル受け座の位置設定が面倒で時間がかかり、結果として、フロアパネルの敷設作業を効率よく行い得ないという問題があった。
【０００５】
また、前記従来装置では、パネル受け座を回転させてその高さ位置を調整した後、パネル受け座の下部に配置されたナット部材を締め付け回転させて、パネル受け座を所定高さの調整位置に固定する必要がある。このため、ナット部材の上方に位置するパネル受け座が邪魔になって、ナット部材の締め付け操作が困難であるという問題もあった。
【０００６】
この発明は、このような従来の技術に存在する問題点に着目してなされたものである。その主たる目的は、支持脚のパネル受け座をフロアパネルの敷設方向に合わせて回転調整する必要がなく、その位置設定を容易に行うことができるとともに、フロアパネルを所定の整列状態に正確に敷設することができるフロアパネル装置及びそれに使用される支持脚を提供することにある。
【０００７】
この発明の別の目的は、パネル受け座の均一な高さ位置のセット後においても、そのパネル受け座の上方からの操作により、パネル受け座の高さを再調整することができて、その高さ調整を容易かつ確実に行うことができるフロアパネル装置及びそれに使用される支持脚を提供することにある。
【０００８】
【課題を解決するための手段】
上記の目的を達成するために、この発明は、基礎床面上に設置されるベースプレートと、そのベースプレート上に取り付けられた支柱と、その支柱の上端部に設けられ、フロアパネルを受けるためのパネル受け座とを備えた支持脚において、前記パネル受け座は、該パネル受け座の上面にフロアパネルのコーナ部の被係合部に凹凸の関係で係合する円環状の係合部を形成し、該パネル受け座の上面にフロアパネルのコーナ部の位置決め凹部に係合可能な位置決め突起を設けたことを特徴とするものである。
【０００９】
従って、この発明によれば、パネル受け座上の円環状の係合部にフロアパネルのコーナ部の被係合部を係合させることによって、フロアパネルのコーナ部が支持脚のパネル受け座上の所定位置に支持される。よって、支持脚のパネル受け座をフロアパネルの敷設方向に合わせて左右に回転調整する必要がなく、その位置設定を容易に行うことができる。また、円環状の係合部に被係合部を係合させた状態で、フロアパネルを簡単に回動調節することができて、フロアパネルを所定の整列状態に正確に敷設することができる。
【００１０】
前記支持脚のパネル受け座の上面中央に、フロアパネルのコーナ部の位置決め凹部に係合可能なほぼ円柱状の位置決め突起を、前記係合部と同心状に設けることにより、位置決め突起と位置決め凹部との係合により、フロアパネルを敷設状態に確実に位置決め保持することができる。
【００１１】
前記支持脚が、基礎床面上に設置されるベースプレートと、そのベースプレート上に取り付けられた支柱とを備えている。そして、前記パネル受け座を、中央に形成されたネジ孔にて支柱上のネジ軸に高さ調整可能に螺合して、ネジ孔に上方から固定ネジを螺合することにより、所定高さの調整位置に固定すれば、パネル受け座をネジ軸上で回転させて所定の高さ位置に調整できる。そして、そのパネル受け座の上方から固定ネジを締め付け回転させることにより、パネル受け座を所定高さの調整位置に固定することができる。パネルの４隅は面取りがなされており、フロアパネルがパネル受け座に配設されると、面取り部が固定ネジ用六角レンチを通すための穴を形成するようになっている。よって、パネル受け座の固定操作を上方から容易かつ確実に行うことができる。
【００１２】
前記支柱を交換可能にすれば、支柱の交換のみでフロアパネルの高さを変更することができる。
前記位置決め突起をゴム等の弾力性のある材質にすれば、振動や騒音の発生を抑制できるとともに、フロアパネル等の寸法誤差や組み付け誤差等を吸収できる。
【００１３】
前記位置決め突起を先細のテーパ状にすれば、フロアパネルの組み付けが容易である。
パネル受け座の上面に振動吸収材を設ければ、振動や騒音等を吸収できる。
【００１４】
フロアパネルの上面にディンプル加工を施せば、仕上げ材の滑り止め、また歩行音等の騒音を抑制できる。
【００１５】
【発明の実施の形態】
（第１実施形態）
以下に、この発明の第１実施形態を、図１〜図５に基づいて説明する。
【００１６】
図１及び図２に示すように、建築物の基礎床面１１上には複数の支持脚１２が所定間隔おきに設置されている。各支持脚１２上には複数のフロアパネル１３がコーナ部１３ａにて位置決め支持され、これによって各フロアパネル１３が基礎床面１１上に上下の所定間隔Ｓ１をおいて敷設されている。そして、この間隔Ｓ１に図示しない通信ケーブルや給電線等が配線されるようになっている。
【００１７】
図２及び図３に示すように、前記支持脚１２は、ベースプレート１４と、支柱１５と、パネル受け座１６とを備えている。ベースプレート１４は金属板により平面形四角状に形成され、その上面中央にはネジ棒１７が固定されて上方へ向かって突設されるとともに、四隅には孔１４ａが形成されている。そして、基礎床面１１上の所定位置にベースプレート１４を配置した状態で、ベースプレート１４が接着剤により基礎床面１１に固定される。この場合、孔１４ａから接着剤の有無を確認できるとともに、この孔１４ａにより接着剤が外気に触れる面積を広くして、接着硬化速度を速めることができる。
【００１８】
前記支持脚１２の支柱１５は、金属板により平面形ほぼ三角状に形成された底板１５ａと、その底板１５ａ上に溶接固定された３枚の金属板よりなる支柱部１５ｂとより構成されている。底板１５ａの中央には孔１５ｃが形成されるとともに、支柱部１５ｂの上端にはネジ軸１９が溶接にて上方へ向かって立設固定されている。このネジ軸１９は、前記ネジ棒１７と同径で、同一ネジピッチのものが用いられている。そして、この支柱１５の孔１５ｃをベースプレート１４のネジ棒１７に挿通した状態で、そのネジ棒１７にワッシャ２０を介してナット２１を螺合することにより、支柱１５がベースプレート１４上に固定されている。
【００１９】
また、この実施形態においては、前記支柱１５として支柱部１５ｂの高さＬ１の異なったものが複数種類用意されている。そして、これらの支柱１５を必要に応じて選択的に交換使用することにより、前述した基礎床面１１とフロアパネル１３との間隔Ｓ１を適宜に設定できるようになっている。従って、支柱１５を高さの異なるものに交換すれば、フロアパネルの高さを変更できる。
【００２０】
図２及び図４に示すように、フランジ状をなす前記パネル受け座１６は、円板状の基板部１６ａと、その基板部１６ａの中心の上下両面において上方及び下方に向かって突設された取付筒部１６ｂとから構成されている。基板部１６ａの上面外周縁には係合部としての円環状の係合突条２２が突出形成されるとともに、取付筒部１６ｂ内にはネジ孔２３が軸線方向の全長にわたって形成されている。そして、このネジ孔２３を支柱１５上のネジ軸１９に螺合させることにより、パネル受け座１６が支柱１５上に高さ調整可能に取り付けられている。
【００２１】
前記パネル受け座１６のネジ孔２３には上方から固定ネジ２４が螺合され、その上端面には平面形六角状の工具挿入孔２４ａが形成されている。そして、図２に鎖線で示すように、パネル受け座１６の上方から工具挿入孔２４ａに六角レンチ等の工具２５を挿入して、固定ネジ２４を締め付け回転させることにより、その固定ネジ２４の下端がネジ軸１９の上端に圧接される。これにより、いわゆるダブルネジになり、パネル受け座１６がネジ軸１９上において、所定高さの調整位置に固定されるようになっている。
【００２２】
前記パネル受け座１６の基板部１６ａの上面には、ゴム等の弾性材よりなり、各種の振動を吸収するためのほぼ円板状の振動吸収材２６が着脱可能に装着されている。この振動吸収材２６の中央には取付筒部１６ｂを突出させるための透孔２６ａが形成されるとともに、外周縁には係合突条２２を被覆するための円環状の被覆部２６ｂが形成されている。従って、この振動吸収材２６は、機械的衝撃や騒音の発生を抑制する。
【００２３】
前記パネル受け座１６の上面中央において、係合突条２２と同心状に配置されるように、取付筒部１６ｂの上端には位置決め突起としてのほぼ円筒状の位置決めリム２７が嵌着され、その外周には複数のフランジ部２７ａが突設されている。そして、これらのフランジ部２７ａが上端のものほど次第に小径となるように形成されて、位置決めリム２７の外周が全体として緩やかな先細のテーパ状となるように構成されている。この位置決めリム２７は、例えば、硬質ゴム等の弾力性のある材質により構成されている。
【００２４】
図１、図２及び図５に示すように、前記フロアパネル１３はダイキャスト成型等により平面形四角状に形成され、その両側中央には凹部２８が形成されるとともに、４隅には面取り１３ｂが形成されている。各凹部２８には配線用カバー２９が取り付けられ、基礎床面１１とフロアパネル１３との間に配線された通信ケーブル等が、この配線用カバー２９を介してフロアパネル１３上に引き出されるようになっている。フロアパネル１３の上面にはディンプル加工としての平面円形状の多数の小くぼみ穴３０が整列形成され、フロアパネル１３上に敷設される仕上げ材の滑り止め、消音及び振動吸収等の効果を発揮するようになっている。
【００２５】
なお、ゴム製の振動吸収材２６や位置決めリム２７は、容易に着脱可能であり、それらが老化や劣化した場合には、それらは単独で交換される。
前記フロアパネル１３のコーナ部１３ａの下面には、被係合部としての四半円弧状の係合溝３１が形成されている。そして、フロアパネル１３の敷設時に、この係合溝３１がパネル受け座１６上の円環状の係合突条２２に係合されることによって、フロアパネル１３のコーナ部１３ａがパネル受け座１６上の所定位置に載置支持されるようになっている。
【００２６】
前記係合溝３１と同心状に配置されるように、フロアパネル１３のコーナ部１３ａには４半円弧状の位置決め凹部３２が形成されている。そして、４枚のフロアパネル１３の４隅が突き合わされると、位置決め凹部３２によりこのコーナ部１３ａが円形状の内面形状を構成し、ここに位置決めリム２７が嵌着係合される。すなわち、フロアパネル１３の敷設時に、この位置決め凹部３２がパネル受け座１６上の位置決めリム２７に嵌着係合されることにより、フロアパネル１３が敷設状態に位置決め保持されるようになっている。
【００２７】
図３に示すように、前記支持脚１２の支柱１５の外面にはチェック部３３が設けられ、このチェック部３３には複数のチェック欄３３ａが区画形成されている。そして、フロアパネル１３の張り変えに際して、支持脚１２を交換することなく繰り返し使用する場合に、このチェック部３３のチェック欄３３ａにチェックマーク等を記入して、支持脚１２の使用回数を明示できるようになっている。繰り返し使用する場合のリユース判定基準としてチェックマークが必要になる。
【００２８】
次に、前記のように構成されたフロアパネル装置において、フロアパネル１３を敷設する手順について説明する。
さて、建築物の基礎床面１１上にフロアパネル１３を敷設する場合には、まず基礎床面１１上の予め決められた位置に複数の支持脚１２が、パネル受け座１６の高さをあらかじめセットされた状態でを所定間隔おきに設置する。この場合、ベースプレート１４と基礎床面１１との間に接着剤が介在される。その後、支持脚１２のパネル受け座１６上にフロアパネル１３のコーナ部１３ａを載置して、複数のフロアパネル１３を基礎床面１１上に所定の間隔Ｓ１をおいて敷設する。この場合、フロアパネル１３のコーナ部１３ａの係合溝３１をパネル受け座１６上の円環状の係合突条２２に係合させれば、フロアパネル１３のコーナ部１３ａが支持脚１２のパネル受け座１６の所定位置に載置支持される。同時に、フロアパネル１３のコーナ部１３ａの位置決め凹部３２は、パネル受け座１６の位置決めリム２７に嵌着係合され、フロアパネル１３が敷設状態に位置決め保持される。さらに、フロアパネル１３の部分的な高低調整が必要なときには、図２に鎖線で示すように、六角レンチ等の工具２５を使用して、パネル受け座１６の上方から面取り１３ｂにより形成された穴を通して固定ネジ２４を緩め、調整後締め付け、再固定する。この場合、固定ネジ２４等に対する作業が行いにくい場合は、フロアパネル１３を１枚外せば、その作業を円滑に行うことができる。よって、複数のフロアパネル１３を所定の整列状態に容易かつ正確に敷設することができる。
【００２９】
従って、この実施形態によれば、以下のような効果を得ることができる。
・  このフロアパネル装置においては、基礎床面１１上に複数の支持脚１２が設置され、それらの支持脚１２のパネル受け座１６上に複数のフロアパネル１３のコーナ部１３ａが支持されることにより、各フロアパネル１３が基礎床面１１上に所定間隔Ｓ１をおいて敷設されるようになっている。そして、各支持脚１２のパネル受け座１６の上面には円環状の係合突条２２が形成され、この係合突条２２がフロアパネル１３のコーナ部１３ａに形成された係合溝３１に対して凹凸の関係で係合されるようになっている。
【００３０】
このため、パネル受け座１６上の円環状の係合突条２２にフロアパネル１３のコーナ部１３ａの係合溝３１を係合させることによって、フロアパネル１３のコーナ部１３ａが支持脚１２のパネル受け座１６上の所定位置に載置支持される。よって、パネル受け座１６の向き、すなわち、支持脚１２の向きを合わせる必要がなく、言い換えれば、支持脚１２のパネル受け座１６をフロアパネル１３の敷設方向に合わせて回転調整する必要がなく、その位置設定を容易に行うことができる。また、円環状の係合突条２２に係合溝３１を係合させた状態で、フロアパネル１３を支持脚１２の中心を軸として簡単に回動調節することができて、フロアパネル１３を所定の整列状態に正確に敷設したり、その左右位置を調節したりすることができる。
【００３１】
・  このフロアパネル装置においては、前述のように、パネル受け座１６の基板部１６ａが円板状に形成され、その基板部１６ａの上面外周縁に係合部としての円環状の係合突条２２が突出形成されている。また、フロアパネル１３のコーナ部１３ａの下面には、係合突条２２に係合可能な被係合部としての同じく円弧状の係合溝３１が形成されている。このため、係合突条２２及び係合溝３１の構造が簡単であるとともに、それらの係合によりフロアパネル１３のコーナ部１３ａを支持脚１２のパネル受け座１６上の所定位置に確実に支持することができる。そして、係合突条２２と係合溝３１との係合により、フロアパネル１３がその敷設状態で妄動することを防止できる。
【００３２】
・  このフロアパネル装置においては、高さの異なる支柱１５が複数種類用意されている。従って、フロアパネル１３の設置高さを複数選択でき、希望や条件に適合した高さにフロアパネル１３を敷設できる。しかも、この場合、ネジ棒１７に対してナット２１を脱着するのみで、支柱１５を選択的に組むもとができるため、その作業はきわめて容易である。
【００３３】
・  このフロアパネル装置においては、前記支持脚１２のパネル受け座１６の上面中央に、位置決め突起としてのほぼ円筒状の位置決めリム２７が係合突条２２と同心状に設けられている。そして、この位置決めリム２７がフロアパネル１３のコーナ部１３ａに形成された位置決め凹部３２に係合されるようになっている。このため、位置決めリム２７と位置決め凹部３２との係合により、フロアパネル１３を敷設状態に確実に位置決め保持することができる。
【００３４】
・  このフロアパネル装置においては、前記位置決めリム２７の外周が先細のテーパ状となるように形成されている。このため、フロアパネル１３のコーナ部１３ａの位置決め凹部３２をパネル受け座１６上の位置決めリム２７に対して容易かつ確実に嵌着係合させることができる。
【００３５】
・  このフロアパネル装置においては、前記支持脚１２が、基礎床面１１上に設置されるベースプレート１４と、そのベースプレート１４上に取り付けられた支柱１５とを備えている。そして、前記パネル受け座１６が、中央に形成されたネジ孔２３にて支柱１５上のネジ軸１９に高さ調整可能に螺合されて、ネジ孔２３に上方から固定ネジ２４を螺合することにより、所定高さの調整位置に固定されるようになっている。このため、パネル受け座１６をネジ軸１９上で回転させて所定の高さ位置に調整した後、そのパネル受け座１６の上方から固定ネジ２４を締め付け回転させることにより、パネル受け座１６を所定高さの調整位置に固定することができる。よって、パネル受け座１６を所要位置で確実に固定できるとともに、パネル受け座１６の固定操作を上方からパネル受け座１６に邪魔されることなく、容易かつ確実に行うことができる。
【００３６】
・  このフロアパネル装置においては、前記パネル受け座ｌ６上に振動吸収材２６が装着され、フロアパネル１３のコーナ部１３ａが振動吸収材２６を介してパネル受け座１６上に支持されるようになっている。このため、フロアパネル１３をパネル受け座１６上に、振動やガタ付き等を生じることなく敷設することができるとともに、フロアパネル１３状の歩行等にともなう騒音を抑制できる。
【００３７】
・  このフロアパネル装置においては、振動吸収材２６及び位置決めリム２７が弾力性を持つため、フロアパネル１３等の寸法誤差や支持脚１２に対する組み付け誤差等を変形により吸収できる。
【００３８】
・  このフロアパネル装置においては、前記支持脚１２の支柱１５の外面に、支持脚１２の繰り返し使用回数を記入するためのチェック部３３が設けられている。このため、フロアパネル１３の張り変えに際して、支持脚１２を繰り返し使用する場合に、このチェック部３３にチェックマーク等で支持脚１２の使用回数を記入しておけば、そのチェック部３３の記入に基づいて、支持脚１２の交換時期や使用可能回数を容易に知ることができる。
【００３９】
・  このフロアパネル装置においては、ネジ棒１７とネジ軸１９とが同径で、同一ネジピッチのものが用いられているため、支柱１５を用いることなく、パネル受け座１６をネジ軸１９に支持することができる。この場合には、フロアパネル１３を低く敷設することができる。
【００４０】
（第２実施形態）
次に、この発明の第２実施形態を、前記第１実施形態と異なる部分を中心に説明する。
【００４１】
さて、この第２実施形態においては、図６に示すように、支持脚１２のパネル受け座１６の基板部１６ａが平面形四角状に形成され、その上面に係合部としての円環状の係合突条２２が突出形成されている。また、振動吸収材２６も、パネル受け座１６の基板部１６ａを覆うように平面形四角状に形成され、その上面には係合突条２２を覆うための円環状の被覆部２６ｂが突出形成されている。
【００４２】
従って、この第２実施形態によれば、前記第１実施形態における効果に加えて、次のような効果を得ることができる。
・  このフロアパネル装置においては、支持脚１２のパネル受け座１６の基板部１６ａが平面形四角状に形成されているため、この基板部１６ａの上面にて、フロアパネル１３のコーナ部１３ａを広い接触面積で安定状態に支持することができる。
【００４３】
（第３実施形態）
次に、この発明の第３実施形態を、前記第１実施形態と異なる部分を中心に説明する。
【００４４】
さて、この第３実施形態においては、図７に示すように、支持脚１２のパネル受け座１６の基板部１６ａが平面形四角状に形成され、その上面に係合部としての円環状の係合溝３５が形成されている。また、振動吸収材２６も、パネル受け座１６の基板部１６ａを覆うように平面形四角状に形成され、その上面には係合溝３５に嵌合してその内面を覆うための円環溝状の被覆部２６ｂが形成されている。
【００４５】
一方、フロアパネル１３のコーナ部１３ａの下面には、被係合部としての四半円弧状の係合突条３６が突出形成されている。そして、フロアパネル１３の敷設時に、この係合突条３６がパネル受け座１６上の円環状の係合溝３５に係合されることによって、フロアパネル１３のコーナ部１３ａがパネル受け座１６上の所定位置に支持されるようになっている。
【００４６】
従って、この第３実施形態によれば、前記第１，第２の実施形態と同様の効果を得ることができる。
（変更例）
なお、この実施形態は、次のように変更して具体化することも可能である。
【００４７】
・  前記各実施形態において、支持脚１２の支柱１５を、底板１５ａと、その底板１５ａ上に立設された円柱状の支柱部１５ｂとから構成し、支柱部１５ｂの上端にネジ軸１９を突出形成すること。
【００４８】
・  底板１５ａと支柱１５とを一体に形成すること。このようにすれば、部品点数が少なくなり、構成が簡単になる。
・  前記各実施形態において、支持脚１２の支柱１５を省略し、ベースプレート１４上のネジ棒１７を所定長さに延長形成して、そのネジ棒１７にパネル受け座１６のネジ孔２３を直接螺合させるように構成すること。このように構成しても、部品点数が少なくなり、構成が簡単になる。
【００４９】
・  前記第２及び第３実施形態において、パネル受け座１６の基板部１６ａを平面形六角形等の異なった多角形状に形成すること。
以上のように構成した場合でも、前記実施形態とほぼ同様の効果を得ることができる。
【００５０】
【発明の効果】
以上、実施形態で例示したように、この発明においては、支持脚のパネル受け座をフロアパネルの敷設方向に合わせて回転調整する必要がなく、その位置設定を容易に行うことができるとともに、フロアパネルを所定の整列状態に正確に敷設することができる。また、この発明は、パネル受け座の高さ位置の調整後に、そのパネル受け座の上方からの操作により、パネル受け座を所定高さの調整位置に固定することができて、その固定操作を容易かつ確実に行うことができる。
【図面の簡単な説明】
【図１】  第１実施形態のフロアパネル装置を示す要部平面図。
【図２】  図１の２−２線における部分拡大断面図。
【図３】  支持脚のベースプレート及び支柱を分解して示す斜視図。
【図４】  支持脚の支柱の一部及びパネル受け座を分解して示す斜視図。
【図５】  フロアパネルのコーナ部を示す部分斜視図。
【図６】  第２実施形態の支持脚のパネル受け座を分解して示す斜視図。
【図７】  第３実施形態の支持脚のパネル受け座及びフロアパネルの一部を分解して示す斜視図。
【符号の説明】
１１…基礎床面、１２…支持脚、１３…フロアパネル、１３ａ…コーナ部、１３ｂ…面取り、１４…ベースプレート、１５…支柱、１６…パネル受け座、１９…ネジ軸、２２…係合部としての係合突条、２３…ネジ孔、２４…固定ネジ、２６…振動吸収材、２７…位置決め突起としての位置決めリム、３０…ディンプル加工としての小突起、３１…被係合部としての係合溝、３２…位置決め凹部、３５…係合部としての係合溝、３６…被係合部としての係合突条、Ｓ１…間隔。
【図１】
0003650041.tif 000002
【図２】
0003650041.tif 000003
【図３】
0003650041.tif 000004
【図４】
0003650041.tif 000005
【図５】
0003650041.tif 000006
【図６】
0003650041.tif 000007
【図７】
0003650041.tif 000008